(57)【要約】【課題】優れた開封操作性を具備させる。【解決手段】内容物が収容されるとともに、上端開口部１１ｃが第１シール材１３によって封止されたカップ本体１１と、第１シール材１３を上方から覆う蓋体１２と、を備える回転式蓋付カップ容器１であって、蓋体１２は、有頂筒状に形成されるとともに、その内部が添加剤の収容される収容室１５とされ、かつ下端開口部１２ｂが第２シール材１６によって封止され、蓋体１２の頂壁部１７において容器軸Ｏから離れた部分には、ストロー３０が挿通される挿通孔１８が形成され、蓋体１２及びカップ本体１１は、相対的に容器軸Ｏ回りに回転自在に配設されている。【選択図】図２
2015067289.tif 000002
【特許請求の範囲】
【請求項１】
内容物が収容されるとともに、上端開口部が第１シール材によって封止されたカップ本体と、
前記第１シール材を上方から覆う蓋体と、
を備える回転式蓋付カップ容器であって、
前記蓋体は、有頂筒状に形成されるとともに、その内部が添加剤の収容される収容室とされ、かつ下端開口部が第２シール材によって封止され、
前記蓋体の頂壁部において容器軸から離れた部分には、ストローが挿通される挿通孔が形成され、
前記蓋体及び前記カップ本体は、相対的に容器軸回りに回転自在に配設され、
前記挿通孔内にストローを挿し込み、このストローの先端部で前記第２シール材及び前記第１シール材をこの順に破断した後に、前記蓋体及びストローと、前記カップ本体と、を相対的に容器軸回りに回転させることにより、前記ストローで前記第１シール材の破断部分を容器軸回りに拡大させる構成とされたことを特徴とする回転式蓋付カップ容器。
【請求項２】
前記蓋体と前記カップ本体との間には、前記蓋体及び前記カップ本体の相対的な容器軸回りの１回転未満の回転移動を許容し、かつ１回転以上の回転移動を規制する規制部が配設されていることを特徴とする請求項１に記載の回転式蓋付カップ容器。
【請求項３】
前記ストローは、前記挿通孔に挿し込まれて先端が前記カップ本体の底部の内面に接した状態で、前記蓋体の下端開口部より下方に位置する先端側部分と、この先端側部分より上方に位置する基端側部分と、を備え、
前記先端側部分の外径が、前記基端側部分の外径より大きくなっていることを特徴とする請求項１または２に記載の回転式蓋付カップ容器。
【発明の詳細な説明】
【技術分野】
【０００１】
本発明は、回転式蓋付カップ容器に関するものである。
【背景技術】
【０００２】
従来から、例えば下記特許文献１に示されるような、蓋体に形成された挿通孔にストローを挿し込んで、カップ本体内の内容物をストローを通して吸い上げる蓋付カップ容器が知られている。また、例えば下記特許文献２に示されるような、添加剤が収容された副容器が蓋体に離脱自在に装着された蓋付カップ容器も知られている。
【先行技術文献】
【特許文献】
【０００３】
【特許文献１】実公平０６−２８４３３号公報
【特許文献２】実公平０６−３４３１０号公報
【発明の概要】
【発明が解決しようとする課題】
【０００４】
しかしながら、前記従来の蓋付カップ容器では、カップ本体を開封する操作と、添加剤をカップ本体内に添加する操作と、を各別に行う必要があり、開封時の操作性に改善の余地があった。
【０００５】
本発明は、このような事情を考慮してなされたもので、優れた開封操作性を具備させることができる回転式蓋付カップ容器を提供することを目的とする。
【課題を解決するための手段】
【０００６】
上記課題を解決して、このような目的を達成するために、本発明の回転式蓋付カップ容器は、内容物が収容されるとともに、上端開口部が第１シール材によって封止されたカップ本体と、前記第１シール材を上方から覆う蓋体と、を備える回転式蓋付カップ容器であって、前記蓋体は、有頂筒状に形成されるとともに、その内部が添加剤の収容される収容室とされ、かつ下端開口部が第２シール材によって封止され、前記蓋体の頂壁部において容器軸から離れた部分には、ストローが挿通される挿通孔が形成され、前記蓋体及び前記カップ本体は、相対的に容器軸回りに回転自在に配設され、前記挿通孔内にストローを挿し込み、このストローの先端部で前記第２シール材及び前記第１シール材をこの順に破断した後に、前記蓋体及びストローと、前記カップ本体と、を相対的に容器軸回りに回転させることにより、前記ストローで前記第１シール材の破断部分を容器軸回りに拡大させる構成とされたことを特徴とする。
【０００７】
この発明によれば、ストローを挿通孔内に挿し込み、ストローの先端部で第２シール材及び第１シール材をこの順に破断した後に、蓋体及びストローと、カップ本体と、を相対的に容器軸回りに回転させることにより、ストローが第１シール材の破断部分を容器軸回りに拡大させる。これにより、第２シール材の破断部分から流出する収容室内の添加剤が、第１シール材の破断部分を通してカップ本体内に流入しやすくなり、第１シール材上に残りにくくなる。
このように、ストローを挿通孔に挿し込み、蓋体及びカップ本体を相対的に容器軸回りに回転移動させる操作だけで、カップ本体の開封、及び添加剤の添加を双方ともに行うことが可能になり、優れた開封操作性を具備させることができる。
【０００８】
ここで、前記蓋体と前記カップ本体との間には、前記蓋体及び前記カップ本体の相対的な容器軸回りの１回転未満の回転移動を許容し、かつ１回転以上の回転移動を規制する規制部が配設されてもよい。
【０００９】
この場合、蓋体とカップ本体との間に前記規制部が配設されているので、需要者が、蓋体及びカップ本体の相対的な容器軸回りの回転移動量に留意しなくても、ストローにより第１シール材が全周にわたって破断されてしまうのを防ぐことが可能になり、第１シール材のうち、ストローによる破断部分より径方向の内側に位置する部分がカップ本体内に落下するのを防ぐことができる。
【００１０】
また、前記ストローは、前記挿通孔に挿し込まれて先端が前記カップ本体の底部の内面に接した状態で、前記蓋体の下端開口部より下方に位置する先端側部分と、この先端側部分より上方に位置する基端側部分と、を備え、前記先端側部分の外径が、前記基端側部分の外径より大きくなってもよい。
【００１１】
この場合、ストローのうち、先端側部分の外径が基端側部分の外径より大きくなっているので、ストローが挿通孔内に挿し込まれ、かつストローの先端がカップ本体の底部の内面に接した状態で、ストローと、第２シール材の破断部分と、の間に、添加剤を収容室から流出させるのに十分な隙間を形成することが可能になり、収容室内の添加剤をカップ本体内に確実に流入させることができる。
【発明の効果】
【００１２】
本発明によれば、ストローを挿通孔に挿し込み、蓋体及びカップ本体を相対的に容器軸回りに回転移動させる操作だけで、カップ本体の開封、及び添加剤の添加を双方ともに行うことが可能になり、優れた開封操作性を具備させることができる。
【図面の簡単な説明】
【００１３】
【図１】本発明に係る一実施形態として示した回転式蓋付カップ容器の上面図である。
【図２】図１に示す回転式蓋付カップ容器のＡ−Ａ線矢視断面図である。
【図３】図２に示す回転式蓋付カップ容器のＢ−Ｂ線矢視断面図である。
【図４】図２に示す回転式蓋付カップ容器において、第１、第２シール材を破断し、ストローを挿通孔を通してカップ本体内に挿し込んだ状態を示す図である。
【発明を実施するための形態】
【００１４】
以下、図面を参照し、本発明の一実施形態に係る回転式蓋付カップ容器１について説明する。
本実施形態の回転式蓋付カップ容器１は、図１及び図２に示されるように、内容物が収容されるカップ本体１１と、カップ本体１１を覆う蓋体１２と、を備えている。カップ本体１１は有底筒状に形成され、蓋体１２は有頂筒状に形成されている。
カップ本体１１、及び蓋体１２それぞれの中心軸線は、共通軸と同軸に配置されている。以下、この共通軸を容器軸Ｏといい、容器軸Ｏ方向に沿う蓋体１２の頂壁部１７側を上側、カップ本体１１の底部１１ａ側を下側といい、また、容器軸Ｏに直交する方向を径方向といい、容器軸Ｏ回りに周回する方向を周方向という。
【００１５】
カップ本体１１の上端には、径方向の外側に向けて突出し、かつ全周にわたって連続して延びるフランジ部１１ｂが形成されている。このフランジ部１１ｂに第１シール材１３が固着されることによって、カップ本体１１の上端開口部１１ｃが封止されている。
なお、カップ本体１１の下部には、径方向の内側に向けて突出する支持突起１１ｄが、周方向に間隔をあけて複数形成されている。この支持突起１１ｄは、カップ本体１１内に、他のカップ本体１１が底部１１ａ側から挿入された状態で、他のカップ本体１１の底部１１ａの外周縁部を支持する。これにより、両カップ本体１１の密接を防止し、複数積み重ねられたカップ本体１１を個別に容易に取り出すことができる。
【００１６】
蓋体１２は、第１シール材１３を上方から覆っている。蓋体１２の内部が添加剤の収容される収容室１５となっている。蓋体１２の下端には、径方向の外側に向けて突出し、かつ全周にわたって連続して延びるフランジ部１２ａが形成されている。このフランジ部１２ａに第２シール材１６が固着されることによって、蓋体１２の下端開口部１２ｂが封止されている。
なお、蓋体１２の周壁部１４には、径方向の内側に向けて突出する支持突起１２ｃが、周方向に間隔をあけて複数形成されている。この支持突起１２ｃは、蓋体１２内に、他の蓋体１２が頂壁部１７側から挿入された状態で、他の蓋体１２の頂壁部１７の外周縁部１７ａを支持する。これにより、両蓋体１２の密接を防止し、複数積み重ねられた蓋体１２を個別に容易に取り出すことができる。
【００１７】
蓋体１２の頂壁部１７には、ストロー３０が挿通される挿通孔１８が形成されている。挿通孔１８は、収容室１５を介して第２シール材１６に向けて開口している。蓋体１２の頂壁部１７のうち、外周縁部１７ａは、外周縁部１７ａより径方向の内側に位置する内側部分１７ｂに対して上方に突出している。挿通孔１８は、頂壁部１７の内側部分１７ｂに形成されている。
挿通孔１８は、図１に示されるように、頂壁部１７において、径方向のうちの一方向に容器軸Ｏからずれた位置に形成されている。挿通孔１８は、その上面視において、円形部分と、一辺が円形部分の半径より小さく、かつ円形部分から径方向のうちの一方向と反対側の他方側に向けて突出する矩形部分と、を備えている。
【００１８】
蓋体１２には、挿通孔１８内に配置された内挿体２３が備えられている。内挿体２３は、折曲変形可能な連結部２１を介して蓋体１２に連結されている。
内挿体２３は、挿通孔１８の前記円形部分内に配置され、連結部２１は、挿通孔１８の前記矩形部分内に配置されている。内挿体２３は、挿通孔１８の前記円形部分よりわずかに小さく、かつ上面視形状は、挿通孔１８の前記円形部分の上面視形状と同じとなっている。連結部２１は、挿通孔１８の前記矩形部分よりわずかに小さく、かつ上面視形状は、挿通孔１８の前記矩形部分の上面視形状と同じとなっている。
【００１９】
内挿体２３及び連結部２１のうち、連結部２１における径方向の他方側の端部のみが、挿通孔１８の内周縁に連結されている。内挿体２３及び連結部２１それぞれの上面は、蓋体１２の頂壁部１７の内側部分１７ｂの上面と面一となっている。
蓋体１２の頂壁部１７には、挿通孔１８を内挿体２３及び連結部２１とともに上方から閉塞する第３シール材２７が配設されている。第３シール材２７は、頂壁部１７の内側部分１７ｂにおける全域にわたって配設されている。
なお、第３シール材２７は、少なくとも挿通孔１８を閉塞していれば、その大きさは適宜変更してもよい。また、第３シール材２７の外部から挿通孔１８を容易に視認できるようにするために、例えば、第３シール材２７に明示部等を設けてもよい。
【００２０】
さらに本実施形態では、蓋体１２の周壁部１４に、縦溝１４ａが周方向に間隔をあけて複数形成されている。縦溝１４ａの、容器軸Ｏに直交する横断面視形状は、径方向の内側に向けて窪む凹曲面状となっている。縦溝１４ａの上端部は、蓋体１２の頂壁部１７の外周縁部１７ａに位置しており、上方に向けて開口している。
【００２１】
ここで、本実施形態では、カップ本体１１と蓋体１２とを接続する接続部材３１が備えられている。
接続部材３１は、カップ本体１１及び蓋体１２それぞれのフランジ部１１ｂ、１２ａが挿入される外筒部３２と、外筒部３２から径方向の内側に向けて突出し、かつ全周にわたって連続して延びる環板部３３と、を備えている。
外筒部３２には、カップ本体１１のフランジ部１１ｂを、このフランジ部１１ｂの下側から支持する下側支持突部３２ａと、蓋体１２のフランジ部１２ａを、このフランジ部１２ａの上側から支持する上側支持突部３２ｂと、が形成されている。
【００２２】
環板部３３は、カップ本体１１及び蓋体１２それぞれのフランジ部１１ｂ、１２ａ同士の間に配置されている。
環板部３３における径方向の中間部には、カップ本体１１のフランジ部１１ｂを下方に向けて付勢する下付勢突起３５と、蓋体１２のフランジ部１２ａを上方に向けて付勢する上付勢突起３６と、が形成されている。これらの両付勢突起３５、３６はそれぞれ、全周にわたって連続して延びる突条状に形成されている。
【００２３】
下付勢突起３５は、上付勢突起３６より大径に形成され径方向の外側に配置されている。下付勢突起３５及び上付勢突起３６それぞれの曲げ剛性は互いに同等になっている。
環板部３３の下面において、下付勢突起３５より径方向の内側に位置する部分には、下方に向けて突出する圧接突起３４が形成されている。圧接突起３４は、環板部３３に、周方向に間隔をあけて複数（例えば８つ）形成されている。なお、圧接突起３４は、全周にわたって連続して延在させてもよい。圧接突起３４は、カップ本体１１のフランジ部１１ｂに圧接している。
上付勢突起３６は、環板部３３において、径方向に沿う圧接突起３４と下付勢突起３５との間に位置する部分から上方に向けて突出している。
【００２４】
下付勢突起３５により、カップ本体１１のフランジ部１１ｂが、下側支持突部３２ａに圧接し、上付勢突起３６により、蓋体１２のフランジ部１２ａが、上側支持突部３２ｂに圧接している。
ここで、蓋体１２のフランジ部１２ａには上付勢突起３６が当接する一方、カップ本体１１のフランジ部１１ｂには、下付勢突起３５のみならず圧接突起３４も当接している。さらに、接続部材３１の外筒部３２の内周面のうち、環板部３３より下方に位置する下側部分には、径方向の内側に向けて突出する図示されない縦リブが、周方向に間隔をあけて複数形成されており、これらの縦リブが、カップ本体１１のフランジ部１１ｂに対して径方向の外側から圧接している。
そして、蓋体１２及び接続部材３１の容器軸Ｏ回りの相対的な回転移動は許容される一方、カップ本体１１及び接続部材３１の容器軸Ｏ回りの相対的な回転移動は規制されている。すなわち、蓋体１２は、カップ本体１１及び接続部材３１に対して容器軸Ｏ回りに回転自在に配設されている。
【００２５】
蓋体１２とカップ本体１１との間には、蓋体１２の、カップ本体１１に対する容器軸Ｏ回りの１回転未満の回転移動を許容し、かつ１回転以上の回転移動を規制する規制部３８が配設されている。
規制部３８は、図３に示されるように、接続部材３１の外筒部３２に径方向の内側に向けて突設された係止突部３２ｃと、蓋体１２のフランジ部１２ａに形成されるとともに、係止突部３２ｃが周方向に相対的に移動自在に収容される周溝１２ｄと、を備えている。
係止突部３２ｃの上面視形状は矩形状となっている。係止突部３２ｃは、外筒部３２の内周面のうち、環板部３３より上方に位置する上側部分の容器軸Ｏ方向の全長にわたって形成されている。
周溝１２ｄは、蓋体１２のフランジ部１２ａに、上面視で容器軸Ｏを中心に９０°の範囲にわたって形成されている。周溝１２ｄは、フランジ部１２ａを容器軸Ｏ方向に貫き、かつ径方向の外側に向けて開口している。
そして、係止突部３２ｃは、周溝１２ｄにおける周方向の一方側の端部内に位置している。
【００２６】
ストロー３０は、図４に示されるように、挿通孔１８に挿し込まれて先端がカップ本体１１の底部１１ａの内面に接した状態（以下、挿し込み状態という）で、蓋体１２の下端開口部１２ｂより下方に位置する先端側部分３０ａと、この先端側部分３０ａより上方に位置する基端側部分３０ｂと、を備えている。そして、先端側部分３０ａの外径が、基端側部分３０ｂの外径より大きくなっている。
なお、ストロー３０の基端側部分３０ｂの上端は、ストロー３０の前記挿し込み状態で、蓋体１２の頂壁部１７より上方に突出している。図示の例では、ストロー３０の前記挿し込み状態で、ストロー３０の先端側部分３０ａは、カップ本体１１の上端開口部１１ｃより下方に位置している。
【００２７】
次に、以上のように構成された回転式蓋付カップ容器１の作用について説明する。
【００２８】
まず、第３シール材２７のうち挿通孔１８の直上に位置する部分を、内挿体２３とともに、ストロー３０の先端により押し込むことで、第３シール材２７を破断し、かつ連結部２１を折曲変形させながら、内挿体２３をストロー３０とともに収容室１５内に進入させる。これにより、ストロー３０が挿通孔１８内に挿し込まれ、ストロー３０の先端部により、第２シール材１６及び第１シール材１３がこの順に破断される。そして、ストロー３０の前記挿し込み状態で、ストロー３０の先端側部分３０ａが、カップ本体１１の上端開口部１１ｃより下方に位置するので、第１、第２シール材１３、１６の破断部分には、ストロー３０の基端側部分３０ｂが位置することとなり、第１、第２シール材１３、１６の破断部分と、ストロー３０の基端側部分３０ｂと、の間に隙間が生ずる。
【００２９】
次に、係止突部３２ｃが、蓋体１２の周溝１２ｄにおける他方側の周端縁に当接するまで、蓋体１２をストロー３０とともに、カップ本体１１に対して容器軸Ｏ回りに回転させることにより、ストロー３０によって第１シール材１３の破断部分を容器軸Ｏ回りに拡大させる。この際、指が蓋体１２の縦溝１４ａに係止されることにより、指が蓋体１２の周壁部１４の外周面上を周方向に滑るのを抑えられる。
以上より、収容室１５内の添加剤が、第２シール材１６の破断部分とストロー３０の基端側部分３０ｂとの間から流下し、周方向に拡大された第１シール材１３の破断部分を通して、カップ本体１１内に流入する。
【００３０】
以上説明したように、本実施形態による回転式蓋付カップ容器１によれば、挿通孔１８が、蓋体１２の頂壁部１７において容器軸Ｏから離れた部分に形成されるとともに、蓋体１２が、カップ本体１１に対して容器軸Ｏ回りに回転自在に配設されているので、ストロー３０を挿通孔１８内に挿し込み、ストロー３０の先端部で第２シール材１６及び第１シール材１３をこの順に破断した後に、蓋体１２をストロー３０とともにカップ本体１１に対して容器軸Ｏ回りに回転させることにより、ストロー３０によって第１シール材１３の破断部分を容器軸Ｏ回りに拡大させることが可能になる。
【００３１】
これにより、第２シール材１６の破断部分から流出する収容室１５内の添加剤が、第１シール材１３の破断部分を通してカップ本体１１内に流入しやすくなり、第１シール材１３上に残りにくくなる。
このように、ストロー３０を挿通孔１８に挿し込み、蓋体１２をカップ本体１１に対して容器軸Ｏ回りに回転移動させる操作だけで、カップ本体１１の開封、及び添加剤の添加を双方ともに行うことが可能になり、優れた開封操作性を具備させることができる。
【００３２】
また、蓋体１２とカップ本体１１との間に規制部３８が配設されているので、需要者が、蓋体１２のカップ本体１１に対する容器軸Ｏ回りの回転移動量に留意しなくても、ストロー３０により第１シール材１３が全周にわたって破断されてしまうのを防ぐことが可能になり、第１シール材１３のうち、ストロー３０による破断部分より径方向の内側に位置する部分がカップ本体１１内に落下するのを防ぐことができる。
【００３３】
また、ストロー３０のうち、先端側部分３０ａの外径が基端側部分３０ｂの外径より大きくなっているので、ストロー３０の前記挿し込み状態で、ストロー３０と、第２シール材１６の破断部分と、の間に、添加剤を収容室１５から流出させるのに十分な隙間を形成することが可能になり、収容室１５内の添加剤をカップ本体１１内に確実に流入させることができる。
【００３４】
本発明は上記した実施の形態に限定されるものではなく、その趣旨を逸脱しない範囲で適宜変更可能である。
【００３５】
例えば前記実施形態では、カップ本体１１と蓋体１２とを接続する接続部材３１を備える構成を示したが、接続部材３１を有さず、蓋体１２がカップ本体１１の上端部に直接装着される構成を採用してもよい。
また、挿通孔１８の上面視形状は、前記実施形態に限らず例えば、単一の矩形状や円形状にするなど適宜変更してもよい。
また、環板部３３の上面において、上付勢突起３６を形成する位置は、前記実施形態に限らず例えば、下付勢突起３５の位置する部分、若しくは圧接突起３４が位置する部分にするなど適宜変更してもよい。
また、圧接突起３４、下付勢突起３５及び上付勢突起３６を形成しなくてもよい。
また、規制部３８は、前記実施形態に限らず適宜変更してもよいし、配設しなくてもよい。
また、蓋体１２の縦溝１４ａに代えて、例えば周壁部１４の外周面に滑り止め用の凹凸部を形成するなど、前記実施形態に限らず適宜変更してもよい。また、蓋体１２に縦溝１４ａは形成しなくてもよい。
また、ストロー３０を全長にわたって同等の外径にしてもよい。
【００３６】
また、前記実施形態に代えて、カップ本体１１を、蓋体１２及び接続部材３１に対して容器軸Ｏ回りに回転自在に配設し、また、接続部材３１の外筒部３２に径方向の内側に向けて突出する係止突部を設けるとともに、カップ本体１１のフランジ部１１ｂに、この係止突部が周方向に相対的に移動自在に収容される周溝を形成してもよい。
そして、ストロー３０の前記挿し込み状態で、係止突部が、周溝の周端縁に当接するまで、カップ本体１１を、蓋体１２、接続部材３１及びストロー３０に対して容器軸Ｏ回りに回転させることにより、ストロー３０によって第１シール材１３の破断部分を容器軸Ｏ回りに拡大させてもよい。
なお、係止突部を、カップ本体１１若しくは蓋体１２に設ける一方、この係止突部が周方向に移動自在に収容される周溝を接続部材３１に設けてもよい。
【００３７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３８】
１  回転式蓋付カップ容器
１１  カップ本体
１１ａ  底部
１１ｃ  上端開口部
１２  蓋体
１２ｂ  下端開口部
１３  第１シール材
１５  収容室
１６  第２シール材
１７  頂壁部
１８  挿通孔
３０  ストロー
３０ａ  先端側部分
３０ｂ  基端側部分
３８  規制部
Ｏ  容器軸
【図１】
2015067289.tif 000003
【図２】
2015067289.tif 000004
【図３】
2015067289.tif 000005
【図４】
2015067289.tif 000006